(57)【特許請求の範囲】
【請求項１】
間隔をおいて複数の支持脚が設けられた床パネルの支持を補強する床パネルの補強脚であって、
前記床パネルの支持脚に回り止め状態に取付けられる取付部と、
前記取付部から側方に延設されて前記床パネルの天板を支持する支持部と
を備え、
前記支持部は、前記延設方向における任意の長さに調整可能に形成されているとともに、前記床パネルの隣合う支持脚の間隔と同一の長さに形成されていることを特徴とする床パネルの補強脚。
【請求項２】
支持脚が形成された床パネルの支持を補強する床パネルの補強脚であって、
前記床パネルの支持脚に回り止め状態に取付けられる取付部と、
前記取付部から側方に延設されて前記床パネルの天板を支持する支持部と
を備え、
前記支持部は、前記延設方向における任意の長さに調整可能に形成され、
前記取付部は、前記床パネルの支持脚に対して上下方向から取付可能な貫通孔で形成されたことを特徴とする床パネルの補強脚。
【請求項３】
前記支持部は、その延設方向における任意の位置で切断可能に形成されたことを特徴とする請求項１または請求項２に記載の床パネルの補強脚。
【請求項４】
前記支持部は、天板を連続して支持することを特徴とする請求項１乃至請求項３のいずれかに記載の床パネルの補強脚。
【請求項５】
前記床パネルの支持脚は、間隔をおいて複数設けられ、
前記取付部は、隣合う２以上の前記支持脚に跨って回り止め状態に取付けられることを特徴とする請求項１乃至請求項４のいずれかに記載の床パネルの補強脚。
【発明の詳細な説明】
【技術分野】
【０００１】
本発明は、下方に配線、配管空間を形成する床パネルにおいて支持脚が設けられていない箇所に取付けて前記床パネルの天板の支持を補強する床パネルの補強脚に関するものである。
【背景技術】
【０００２】
従来より、建物の基礎床面に複数の床パネルを敷設して二重床を形成し、その床下に配線、配管が行なわれるものがある。前記床パネルは支持脚によって天板を支持するよう構成されており、前記天板の下方に配線、配管のための空間が形成されている。
【０００３】
前記床パネルは例えば図４に示すものがあり、図４において、前記床パネル２１は床パネル本体２２の方形板状の基板２３の周縁部に沿って所定間隔で複数の角柱状に形成された角柱支持脚２５が立設されており、その各上端面には方形板状の天板３１が載置され、支持されるようになっている。また、前記複数の角柱支持脚２５によって囲まれた内部の基板２３上には適宜間隔で円柱状に形成された円柱支持脚２６が立設され、同じく天板３１を下方から支持し、この天板３１上に載置された重量物による撓みを防止している。
【０００４】
ところで、従来より、床パネル２１は設置時に複数を基礎床面５１上に縦横に並置して敷設するとき、寸法的に建物の壁面５２によって囲まれた室内空間内に丁度収まらず、この壁面５２に隣接する床パネル２１にはみ出し部分を生ずることが多い。そこで、図４のＣ−Ｃ切断線及びＤ−Ｄ切断線において前記床パネル本体２２の基板２３及び天板３１のはみ出し部分を切断し、前記室内空間内に収まるように調整する壁際処理が行なわれている。
【０００５】
しかし、このような壁際処理により、前記床パネル本体２２の基板２３のはみ出し部分を切断することによって、残された床パネル本体２２における切断端部には支持脚が存在しないため、その部分に、支持されない空きスペースが生じ、床パネル本体２２の切断端縁部から最も近い円柱支持脚２６までの間に最大で隣合う支持脚の間隔分の間隙が生ずることとなる。例えば、図４の位置で切断した場合には、図１４に示すように、床パネル本体２２の切断端縁部と円柱支持脚２６とは距離Ｌ１だけの間隙が生ずる。そして、当然ながら、床パネル２１の各支持脚の間隔が大きければその分離間する距離Ｌ１も大きくなり、空きスペースも大きくなる。その結果、図１５に示すように、前記距離Ｌ１の部分において天板３１上に重量物である室内家具等の脚部が載置されたり、歩行する人の踵が載ったりすると、前記天板３１が床パネル本体２２の切断端縁部に最も近い支持脚を支点として撓むとともに、反対側の端部が跳ね上がったりすることがあり、大変危険である。
【０００６】
これに対して、床パネルの天板の撓み易い箇所に補強脚を設置して撓みを防止する技術が実開平３−１１１７３５号公報に開示されている。前記公報に掲載の床パネルはその裏面に複数の補強脚取付部が設けられており、撓み易い箇所において前記補強脚取付部に適宜補強脚を取付けることによって天板が撓むのを防止している。具体的には、前記補強脚取付部は床パネルの裏面に差込凹部を形成してなり、また、補強脚は大径部の上端に小径部を一体に接続した異径円柱状に形成されており、前記床パネルの補強脚取付部に前記補強脚の小径部を嵌入することによって前記補強脚取付部に取付けられるようになっている。
【特許文献１】実開平３−１１１７３５号公報
【発明の開示】
【発明が解決しようとする課題】
【０００７】
しかし、前記実開平３−１１１７３５号公報に掲載の床パネルにおいては、補強脚は前記床パネルの裏面に設けられている補強脚取付部に取付けられるのであるから、この補強脚取付部が形成されていない箇所においては取付けることができず、支持して補強することができない。したがって、壁際処理において床パネルを切断したとき、補強脚は壁面と接する床パネルの切断端縁部から離間した位置に取付けられることが多い。
【０００８】
ここで、前記補強脚と床パネルの切断端縁部との離間距離が譬え小さくても、家具等は通常壁際近くに配置されるので、天板において前記補強脚で支持されていない箇所に家具等の脚部が接地されることも多く、その場合は、前記補強脚で支持されていない箇所に家具等の荷重が集中的に加わって、その箇所において天板が撓むことがあり、家具等が傾くおそれが生じて危険である。また、室内の出入口においては人の出入りが多く、靴、ハイヒールの踵部分が補強脚の取付けられていない箇所に載って踏付けられて撓むことも多い。その結果、足首をくじいたりするおそれもあり、同様に、危険である。
【０００９】
即ち、前記公報に掲載の床パネルは、その裏面に補強脚取付部が設けられている箇所にしか補強脚を取付けることができず、取付箇所が限定されており、壁面に接する箇所など必要とされる任意の箇所に自在に取付けることはできない。また、補強脚を取付けることのみを目的として、壁際処理等が必要となるときまで補強脚がどの箇所に取付けられるかが未定である補強脚取付部を予め床パネルの裏面に多数設けておくことは大変不経済でもある。
【００１０】
そこで、本発明は、壁際との隙間部分など床パネルの任意の箇所に既存の支持脚を利用して自在に取付けて天板の支持を補強することができ、もって、壁際処理等において生ずる天板の撓みを確実に防止できる床パネルの補強脚及び床装置の提供を課題とするものである。
【課題を解決するための手段】
【００１１】
請求項１の床パネルの補強脚は、間隔をおいて複数の支持脚が設けられた床パネルの支持を補強するものであって、前記床パネルの支持脚に回り止め状態に取付けられる取付部と、前記取付部から側方に延設されて前記床パネルの天板を支持する支持部とを備え、前記支持部は、前記延設方向における任意の長さに調整可能に形成されているとともに、前記床パネルの隣合う支持脚の間隔と同一の長さに形成されたものである。
請求項２の床パネルの補強脚は、支持脚が形成された床パネルの支持を補強するものであって、前記床パネルの支持脚に回り止め状態に取付けられる取付部と、前記取付部から側方に延設されて前記床パネルの天板を支持する支持部とを備え、前記支持部は、前記延設方向における任意の長さに調整可能に形成され、前記取付部は、前記床パネルの支持脚に対して上下方向から取付可能な貫通孔で形成されたものである。
【００１２】
ここで、前記床パネルの支持脚は、床パネルを構成する基板上に立設されて上面部に天板が載置され、或いは、前記天板の裏面に下方に向けて垂設されて基板上に載置される。前記支持脚は、円柱状或いは角柱状等に形成されている。
【００１３】
前記補強脚の取付部は、天板を支持する支持部を撓みの生ずる箇所に確実に位置させるため、床パネルの支持脚に回り止め状態に取付けられる。具体的には、前記支持脚が角柱状に形成されているときは、これに対応した角柱状の貫通孔に形成し、前記支持脚に嵌着することによって回り止め状態とすることができる。前記支持脚が円柱状に形成されているときは、後述するように、隣合う２つの円柱状の支持脚に跨って嵌着することにより、回り止め状態とすることができる。
【００１４】
前記補強脚の支持部は、前記取付部の側方に形成されており、延設方向に沿って連続的にまたは断続的に床パネルの天板を支持するように形成されている。前記支持部は、前記床パネルの天板と当接してこれを直接支持する部分に限らず、前記取付部の側方に延設された部分において直接支持しない他の部分も含むものである。なお、断続的に天板を支持する場合は、前記支持部は、１箇所でもよく、延設方向に間隔をおいて２箇所以上で天板を支持してもよいが、少なくとも前記天板をその切断端部において支持するものであることが必要である。前記天板の切断端部に荷重が加わって前記天板の切断端部が撓み、他端部が跳ね上がるのを防止するためである。
【００１５】
前記支持部は、前記延設方向における任意の長さに調整可能に形成されており、例えば、壁際処理においては、壁面に極く近接した位置まで延出させることができる。任意の長さに調整するには、例えば、後述するように、任意の位置で切断することによって行なうことができる。また、支持部を取付部に対して延設方向に摺動可能なものとすることにより、任意の長さに調整することもできる。
【００１６】
前記取付部と支持部とは合成樹脂の成形により一体に形成することができる。但し、前記取付部と支持部とは別体構造としてもよく、この場合は、取付部のみを床パネルの支持脚の種類、形状に対応して交換可能なものとすることができる。
【００１７】
次に、請求項３の床パネルの補強脚は、支持部が、その延設方向における任意の位置で切断可能に形成されたものである。前記支持部は合成樹脂等で形成することにより、カッター等で簡単に切断することができる。
【００１８】
請求項４の床パネルの補強脚は、前記支持部が、天板を連続して支持するものである。これにより、前記支持部はその延設方向における任意の位置で切断しても、前記床パネルの天板をその切断端部まで連続して即ち支持部全体で支持することとなる。また、前記支持部は取付部に対して延設方向に摺動するものとした場合においても、その支持部全体で前記天板を支持することとなる。
【００２０】
請求項５の床パネルの補強脚は、床パネルの支持脚が間隔をおいて複数設けられているものにおいて、取付部が、隣合う２以上の支持脚に跨って回り止め状態に取付けられるものである。
【００２１】
請求項２の取付部は、床パネルの支持脚に対して上下方向から取付可能な貫通孔で形成されているから、補強脚は床パネルの支持脚が取付部の貫通孔内に嵌入した状態で取付けられる。なお、前記支持脚が基礎床面上に載置される床パネルの基板上に立設されたものである場合は、取付部の貫通孔は上方から前記支持脚に嵌着される。また、前記支持脚が天板の裏面に下方に向けて垂設されたものである場合は、取付部の貫通孔は下方から前記支持脚に嵌着される。
【発明の効果】
【００２３】
請求項１及び請求項２の床パネルの補強脚は、床パネルの天板を支持する支持部が取付部から側方に延設され、かつ、前記延設方向における任意の長さに調整可能に形成されているから、従来のような、予め補強脚を取付けるための補強脚取付部が形成されていて該補強脚取付部の位置にしか補強脚を取付けることができないものと異なって、支持脚への取付部から側方に延設された支持部を任意の長さに調整することにより、例えば、壁際処理においては、前記支持部を壁面に極く近接した位置まで延出させ、床パネルの切断端部において天板を支持できる。また、別途に補強脚を取付けるための補強脚取付部を設けることなく、既存の支持脚を利用して取付けることができる。これにより、前記支持部を床パネルの任意の箇所に自在に取付けて天板の支持を補強することができるから、壁際処理等において生ずる天板の撓みを確実に防止できる。
【００２４】
請求項３の床パネルの補強脚は、支持部が、その延設方向における任意の位置で切断可能に形成されているから、支持部をその延設方向において任意の長さに調整することができる。
【００２５】
請求項４の床パネルの補強脚は、前記支持部が、天板を連続して支持するものであるから、前記支持部全体で安定して天板を支持することができる。
【００２６】
加えて、請求項１の床パネルの補強脚は、支持部が、隣合う支持脚の間隔と同一の長さに形成されているから、床パネルを支持脚間のいかなる位置で切断しても、壁際処理において、切断端部を壁面に極く近接させた状態で支持脚に取付けることができる。
【００２７】
請求項５の床パネルの補強脚は、取付部が、隣合う２以上の支持脚に跨って取付けられるものであるから、支持脚が円柱状に形成されたものにおいても、取付部を隣合う２以上の円柱状の支持脚に跨って取付けることにより、回り止め状態とすることができる。
【００２８】
また、請求項２の床パネルの補強脚は、取付部が、床パネルの支持脚に対して上下方向から取付可能な貫通孔で形成されているから、簡単にかつ回り止め状態で補強脚を前記支持脚に取付けることができる。
【発明を実施するための最良の形態】
【００３０】
以下、本発明の実施形態を図１乃至図９に基づいて説明する。ここで、図１乃至図３は本発明の実施形態の床パネルの補強脚を示し、図１は斜視図、図２は図１の補強脚を斜め下方から見た斜視図であり、図４及び図５は図１の補強脚が取付けられる床パネルを示す斜視図である。
【００３１】
図１乃至図５において、補強脚２は床パネル２１の基板２３上に立設された支持脚に取付けられて前記床パネル２１の天板３１の撓み易い箇所を支持して前記支持脚による支持を補強するものである。ここで、図６乃至図９に示すように、前記床パネル２１に補強脚２が取付けられて床装置１が構成される。
【００３２】
まず、前記床パネル２１は、図４に示すように、床パネル本体２２と天板３１とで構成され、建物の基礎床面５１上に載置されて二重床を形成し、前記天板３１の下方に配線、配管空間を形成している。前記床パネル本体２２は縦横それぞれ５００ｍｍの方形板からなる基板２３上に複数の支持脚が一体に立設されている。具体的には、基板２３の４隅に方形の角柱状に形成された主支持脚２４が立設され、また、前記主支持脚２４間には、前記基板２３の周縁部に沿ってほぼ等間隔で矩形の角柱状に形成された角柱支持脚２５が立設されている。前記主支持脚２４及び角柱支持脚２５の上面にはそれぞれ仕切突条２４ａ及び仕切突条２５ａが形成されており、前記天板３１が前記主支持脚２４及び角柱支持脚２５の上面における仕切突条の内部側に載置されるようになっている。更に、これらの支持脚によって囲まれた基板２３の内部には、重量物が載置されたときの撓みを防止するために縦横に所定間隔で円柱状に形成された円柱支持脚２６が立設されている。これらの支持脚を備えた前記床パネル本体２２は合成樹脂の成形により一体に形成されている。
【００３３】
一方、前記天板３１は合成樹脂板、金属板等によって方形板状に形成されており、その上面にタイルカーペット３２が載置されて室内床が形成される。基礎床面５１には複数の床パネル２１が敷設され、天板３１の下方に形成された配線、配管空間にはケーブル５３等の配線材や配管材が布設されるようになっており、前記ケーブル５３等は前記角柱支持脚２５及び円柱支持脚２６の間に形成された幹線ピットに挿通される。本実施形態においては、図５に示すように、同一方向に複数の床パネル２１が並置され、更に、その両側には、天板の下方にコンセント、アース等の配線器具を収容可能な複数のフロアーパネル４１が敷設されている。そして、前記各床パネル２１の間隙、フロアーパネル４１の間隙にも図示しないパネルが載置され、これらのパネルの上面に前記タイルカーペット３２が載置されるものとなっている。
【００３４】
次に、本発明の特徴である前記補強脚２は前記床パネル２１の支持脚に取付けられる取付部３と前記床パネル２１の天板３１を下方から支持する支持部７とで構成され、合成樹脂等で一体に形成されている。前記取付部３はその中央部に前記床パネル２１の角柱支持脚２５に取付けられる角柱取付部４が形成され、端部に円柱支持脚２６に取付けられる端側円柱取付部５が、また、前記角柱取付部４における支持部７側の端部に同じく円柱支持脚２６に取付けられる中央側円柱取付部６が形成されて成る。前記各取付部は前記床パネル２１の支持脚の形状に対応して垂直方向に貫通する貫通孔で形成されており、前記支持脚に上方から外嵌して取付けできるようになっている。
【００３５】
前記端側円柱取付部５と中央側円柱取付部６との中心間隔は床パネル２１における隣合う２個の前記円柱支持脚２６の中心間隔と同一に形成されており、これらの円柱取付部は隣合う２個の円柱支持脚２６に同時に取付けられることによって、前記円柱支持脚２６に回り止め状態に取付けられるものとなっている。一方、前記角柱取付部４は前記床パネル２１の矩形の角柱状に形成された角柱支持脚２５に対応して矩形状の角孔に形成されているので、単独で前記角柱支持脚２５に回り止め状態に取付けられる。なお、前記中央側円柱取付部６は本実施形態においては角柱取付部４の端部において半円柱状の貫通孔に形成しているが、外周が半円より短かい円弧で形成してもよく、また、前記角柱取付部４から離間して独立の貫通孔に形成してもよい。
【００３６】
次に、前記補強脚２の支持部７は前記取付部３から側方即ち該取付部３の長手方向に延出して設けられており、その延出方向の全長に至って連続して一定の断面形状に形成されている。前記支持部７は隣合う前記支持脚の間隔とほぼ同一長さに形成されており、前記支持脚間のいずれの位置においても連続して天板３１を支持できるものとなっている。但し、天板３１の撓みを防止できれば、必ずしも前記支持脚の間隔と同一の長さでなくてもよく、それより多少短かい長さに形成することを妨げるものではない。前記支持部７は合成樹脂等で前記取付部３と一体に形成されているので、カッター等で任意の長さに切断することができる。
【００３７】
前記支持部７は中央に凹部８が配置され、その左右に一対の凸部９が連結された一定断面形状に形成されており、この凹凸の断面形状によって剛性の大きいものとなっている。前記凸部９の上面は全長に至って前記天板３１が載置される載置面９ａとなっている。前記凹部８の底面の幅方向における中央には、図３に示すように、長さ方向に沿って細溝１０が形成されており、この細溝１０には上方より螺子５４を螺着できるようになっている。なお、前記支持部７は、この断面形状に限られるものではなく、例えば、Ｈ字状、Ｉ字状等に形成してもよい。また、全長に至って天板３１を載置すべく高さは全長に至って一定に形成しているが、断面形状は全長に至って一定である必要はない。
【００３８】
次に、前記補強脚２を壁際処理における補強材として床パネル２１の取付部３に取付ける方法を図４、図６及び図７に基づいて説明する。
今、複数の定格の床パネル２１等を基礎床面５１上に並置して敷設する工事において、室内広さとの関係から前記床パネル２１の端部が室内の壁面５２と干渉するため、前記床パネル２１の端部を調整すべく床パネル本体２２及び天板３１の端部をそれぞれ図４のＣ−Ｃ切断線及びＤ−Ｄ切断線に沿って切断する壁際処理が必要になったとする。すると、図４において、床パネル本体２２の端部が切断、除去されたことに伴ってこの端部に立設されていた２個の円柱支持脚２６ａも除去される結果、図１４に示すように、残された床パネル本体２２において、前記除去された円柱支持脚２６ａと同列にあってこれと隣合う位置に立設されている円柱支持脚２６ｂは切断端縁部から距離Ｌ１だけ離間することとなり、この離間部分において天板３１は撓み易い状態となる。
【００３９】
そこで、図６に示すように、前記床パネル本体２２の円柱支持脚２６ｂ及びこれに隣合う円柱支持脚２６ｃにその上方から補強脚２を取付ける。ここで、補強脚２を取付けるに先だって予め、前記補強脚２の支持部７の先端部が補強脚２を取付けたときに前記床パネル本体２２の切断端縁部と一致することとなる長さ、即ち、支持部７の先端部が壁面５２と当接または極く近接することとなる長さにカッター等で切断し、長さを調整しておく。この長さ調整後、補強脚２を各円柱支持脚の上方から取付ける。このとき、補強脚２の取付部３の端側円柱取付部５及び中央側円柱取付部６がそれぞれ前記床パネル本体２２の各円柱支持脚の形状、大きさに対応した貫通孔で形成されているとともに、前記補強脚２の端側円柱取付部５と中央側円柱取付部６との中心間隔が前記床パネル本体２２の円柱支持脚２６ｃと円柱支持脚２６ｂとの中心間隔と同一長さに形成されているので、上方から前記床パネル本体２２の隣合う２個の円柱支持脚に外嵌して簡単に取付けることができる。
【００４０】
図７は補強脚２を前記床パネル本体２２の円柱支持脚２６ｃと円柱支持脚２６ｂとに嵌着した後の状態を示す。前記補強脚２は端側円柱取付部５及び中央側円柱取付部６が断面円形に形成されているが、それぞれ前記床パネル本体２２の円柱支持脚２６ｃ及び円柱支持脚２６ｂに嵌着されているため、回り止め状態で床パネル本体２２に取付けられる。なお、前記補強脚２は１個の床パネル本体２２について左右の２箇所に取付けられる。これにより、天板３１の壁際の端部はその中間部分において撓み易い状態にあるのが、前記２個の補強脚２によって支持されるので、その部分における荷重による撓みを防止することができる。
【００４１】
次に、壁際処理において床パネル２１が図８の位置で切断された場合の補強脚２による支持、補強を説明する。
図８においては、床パネル本体２２は両側部の２個の角柱支持脚２５が切断端縁部から距離Ｌ２だけ離間した状態で切断されたものを示しており、この離間部分において天板３１は撓み易い状態となっている。
【００４２】
そこで、前記図６及び図７に示した補強脚２と同様に、予め前記補強脚２の支持部７の先端部が補強脚２を取付けたときに前記床パネル本体２２の切断端縁部と一致することとなる長さにカッター等で切断し、長さを調整しておく。その後、図８に示すように、前記床パネル本体２２の角柱支持脚２５ｂの上方から補強脚２を取付ける。このとき、補強脚２の取付部３の角柱取付部４は前記床パネル本体２２の角柱支持脚２５の形状、大きさに対応した貫通孔で形成されているので、上方から前記床パネル本体２２の角柱支持脚２５ｂに外嵌して簡単に取付けることができる。
【００４３】
図９は補強脚２を前記床パネル本体２２の角柱支持脚２５ｂに嵌着した後の状態を示す。ここで、前記補強脚２の角柱取付部４及び床パネル本体２２の角柱支持脚２５は角柱状に形成されているので、前記補強脚２は回り止め状態で床パネル本体２２に取付けられる。なお、前記補強脚２は１個の床パネル本体２２について左右両端の２箇所に取付けられる。これにより、天板３１の壁際の端部はその両側部において撓み易い状態にあるのが、前記２個の補強脚２によって支持され、その部分における荷重による撓みを防止することができる。
【００４４】
次に、本実施形態の補強脚の作用を説明する。
本実施形態の補強脚２は、取付部３から側方に支持部７が連続して設けられ、その支持部７は前記延設方向における任意の位置で切断可能となっているから、壁際処理において前記支持部７を床パネル２１の切断位置に合致する長さに切断して、その切断端部を壁面５２に当接または極く近接させた状態で床パネル２１の支持脚に取付けることができ、前記床パネル２１の切断端縁部まで連続して天板３１を支持できる。これにより、壁際処理において生ずる天板３１の撓みを防止でき、家具の傾斜や歩行時に人の踵が載ることによる天板の跳ね上げを確実に防止することができる。
【００４５】
そして、取付部３が、端側円柱取付部５と中央側円柱取付部６とにおいて、隣合う２個の円柱支持脚２６に跨って取付けできるようになっているから、床パネル２１の支持脚が円柱状に形成されたものであっても、前記端側円柱取付部５及び中央側円柱取付部６を隣合う２個の円柱支持脚２６に跨って嵌着することにより、取付部３を回り止め状態に取付けることができる。なお、前記取付部３は隣合う２個の円柱支持脚２６に跨って取付けられれば、回り止め状態となるが、３個以上の円柱支持脚２６に跨って取付けるのを妨げるものではない。
【００４６】
また、前記補強脚２は取付部３において、角柱支持脚２５及び円柱支持脚２６の双方の支持脚に取付けることができるので、部材のコストを低減でき、部材の保管、運搬等の管理が楽になる。
【００４７】
更に、前記取付部３は、床パネル２１の各支持脚に対して上下方向から取付可能な貫通孔で形成されているから、簡単にかつ回り止め状態で補強脚２を前記支持脚に取付けることができる。
【００４８】
ところで、上記実施形態の補強脚２は、取付部３及び支持部７ともに床パネル２１の支持脚と同一高さに形成されているが、前記取付部３は前記床パネル２１の各支持脚に回り止め状態で取付けることができればよいから、前記支持脚より低く形成してもよい。例えば、前記取付部３のみを、図１０に示すように、中間高さにおいて水平方向に延びる扁平な平板形状に形成することもできる。この場合は、材料費を低減できる。
【００４９】
また、上記実施形態の補強脚２は、床パネル２１の円柱支持脚２６に取付ける場合を考慮して、取付部３に端側円柱取付部５と中央側円柱取付部６との２個の円柱取付部を設けているが、必ずしもこれに限られるものではない。例えば、前記凹部８の底面において、その幅方向における中央に形成された細溝１０を案内にこの細溝１０に上方から螺子５４を挿通し、更に前記床パネル本体２２の基板２３に螺着して固定することにより、前記端側円柱取付部５と前記細溝１０に取着した螺子５４とによって補強脚２を回り止め状態に取付けることもできる。したがって、この場合は、前記中央側円柱取付部６の形成は不要となる。
【００５０】
或いは、図１１に示すように、補強脚２の支持部７の先端面が壁面に極く僅かな隙間で近接することを考慮すれば、補強脚２が端側円柱取付部５を中心に水平方向に回動しようとしても、前記支持部７の両側の先端角部７ａが壁面５２と当接し、左右いずれの方向への回動も規制されることから、前記端側円柱取付部５のみで回り止め状態に取付けることができ、中央側円柱取付部６は省くこともできる。この場合は、補強脚２の全長を、前記中央側円柱取付部６の半径分の長さだけ短かくし、更に、端側円柱取付部５を角柱取付部４側に接近させて前記角柱取付部４との間隔を短かくすることにより、補強脚２を短縮化できる。
【００５１】
次に、本発明の別の実施形態の補強脚を図１２に基づいて説明する。
上記実施形態においては、補強脚２は取付部３と支持部７とを一体に形成しているが、別体構造とすることもできる。図１２において、補強脚２は取付部３と支持部７とが別体に構成されており、蟻溝１２と螺子５４とを介して摺動自在に連結されている。即ち、取付部３は上記実施形態の取付部３と同様に、角柱取付部４、端側円柱取付部５及び中央側円柱取付部６とが設けられている。一方、支持部７は全体が略コ字板状に形成されており、前記取付部３の外面側を水平方向に摺動するものとなっている。ここで、前記支持部７の上面は天板３１を支持する支持面となっている。
【００５２】
具体的には、前記支持部７のコ字状の左右の側板部１１の内壁には長さ方向に沿って蟻溝１２が形成されており、これに対応して前記取付部３の左右の側壁外面には、図示しないが、前記蟻溝１２と係合する係合突部が長さ方向に沿って形成されており、前記支持部７は前記取付部３に対して長さ方向即ち延設方向に摺動するようになっている。また、前記支持部７の側板部１１には螺子孔１３が形成されており、これに螺子５４を螺通してその先端部で取付部３の側壁外面に押圧することによって前記支持部７を床パネル２１の切断端縁部に合致する長さに保持できるようになっている。
【００５３】
この補強脚２を床パネル２１の支持脚に取付けるには、支持部７を多少取付部３側に寄せた状態で上方から取付部３を前記床パネル２１の支持脚に嵌着した後、支持部７を摺動してその先端面を壁面５２に当接させる。次いで、螺子５４を締付けてその先端部で取付部３の左右の側壁外面を押圧する。これにより、前記支持部７は所定長さに保持される。
【００５４】
この補強脚２の場合は、２部材の構成となり、コスト高となるが、螺子５４を螺進退し、支持部７を摺動するだけで所定の延出長さとすることができ、支持部７を切断する手間を省くことができる。これにより、簡単に支持部７の上面において延設方向に沿って連続して天板３１を支持でき、撓みを防止できる。
【００５５】
また、前記補強脚２は、図１３に示すように、ばね材を取付け、支持部７を弾性的に反取付部３方向に付勢させるものとすることもできる。図１３において、取付部３は前記各実施形態の取付部３と同様のものである。一方、支持部７は矩形枠板状に形成され、底面は、図示しないが、少なくとも床パネル２１の支持脚が下方から挿通できる幅の間隙を有して左右両端部に長手方向に沿って前記取付部３を載置するフランジが設けられている。前記支持部７の上面は天板３１を支持する支持面となっている。そして、前記支持部７の内部空間には一端が前記取付部３の端部と当接し、他端が前記支持部７の先端側内壁面と当接するコイルスプリング１４が取付けられている。前記コイルスプリング１４は前記支持部７の先端側内壁面を常時前記取付部３から離間する方向に付勢している。
【００５６】
この補強脚２はコイルスプリング１４が取付けられており、支持部７は常時床パネル２１の切断端縁部側に付勢された状態で前記取付部３に対して延設方向に摺動するようになっている。したがって、この補強脚２を床パネル２１の支持脚に取付けるには、支持部７を前記コイルスプリング１４の付勢力に抗して多少取付部３側に圧縮した状態で上方から取付部３を前記床パネル２１の支持脚に嵌着した後、手を離せば、支持部７は前記コイルスプリング１４の付勢力によって自ずと床パネル２１の切断端縁部側に摺動して壁面５２に弾性的に当接する。
【００５７】
この補強脚２の場合は、２部材の構成となり、コスト高となるが、支持部７をコイルスプリング１４の付勢力に抗して摺動させるだけで、自動的に支持部７の先端面が壁面５２に当接し、支持部７の上面において延設方向に沿って連続して天板３１を支持し、撓みを防止する。したがって、支持部７を切断する手間を省き、図１２の補強脚２のように螺子５４を螺進退させることなく、簡単に床パネル２１の支持脚に取付けることができる。
【００５８】
更に、上記のように、取付部３と支持部７とを別体に形成し、これを連結した構成とした場合は、取付部３を床パネル２１の支持脚の任意の形状に対応して形成し、専用部品として交換自在なものとし、支持部７を共用すれば、部材のコストを低減して各種支持脚に対応することができるとともに、取付部３を短縮化できる。
【００５９】
ところで、上記各実施形態においては、支持部７は隣合う支持脚の間隔とほぼ同一の長さに形成されているが、家具の脚部などが位置しなければ、或いは、人が載ることがなければ、必ずしも隣合う支持脚の間隔と同一の長さに切断しなくてもよい。
【００６０】
また、上記各実施形態の補強脚２の支持部７は、床パネル２１の天板３１が載置される上面が一定幅の矩形状に形成されているが、これに限られるものではなく、例えば、壁面５２に近接する先端部を幅広にするなど上面の幅を延設方向で可変してもよい。
【００６１】
更に、上記実施形態における補強脚２は、壁際処理によって生ずる天板３１の壁面５２近傍における撓みを防止すべく該壁面５２の近接位置に取付けたものを示しているが、前記補強脚２の取付箇所はこれに限られるものではなく、床パネル２１の中央部等において、相当の重量物が載置される場合に、その直下に取付けることもでき、これにより中央部等における支持を補強することができる。
【００６２】
加えて、上記実施形態の補強脚２は、貫通孔に形成した取付部３を床パネル２１の支持脚に嵌着することによって取付けているが、接着や螺子による固定などによって所定位置に取付けることを妨げるものではない。
【００６３】
そして、上記実施形態の補強脚２は、角柱支持脚２５及び円柱支持脚２６を備えた床パネル２１に適用したものを示しているが、他の形態の支持脚を備えた床パネル２１にも同様に適用できることは言うまでもない。
【００６４】
また、上記実施形態の補強脚２は、床パネル２１の支持脚に取付けるものを示しているが、これに限られるものではない。例えば、前記フロアーパネル４１は配線器具が収容されるものであり、一般には、その天板は多数の支持壁材等によって支持されているので、壁際処理において端部が切断されても別途に補強脚を取付けて補強する必要性に乏しいが、天板３１が撓むおそれがあれば、床パネル２１と同様に、補強脚２を取付けてもよい。
【図面の簡単な説明】
【００６５】
【図１】本発明の実施形態の床パネルの補強脚を示す斜視図である。
【図２】図１の補強脚を斜め下方から見た斜視図である。
【図３】図１の補強脚を示し、(a)は正面図、(b)は(a)のＡ−Ａ切断線による断面図、(c)は(a)のＢ−Ｂ切断線による断面図である。
【図４】図１の補強脚が取付けられる床パネルの斜視図である。
【図５】図４の床パネル及びフロアーパネルを基礎床面に敷設した状態を示す斜視図である。
【図６】壁際処理において端部を切断した床パネルの斜視図である。
【図７】図１の補強脚を図６の床パネルの支持脚に取付けた状態を示す、図６のＥ部拡大斜視図である。
【図８】壁際処理において端部を図６と別の位置で切断した床パネルの斜視図である。
【図９】図１の補強脚を図８の床パネルの支持脚に取付けた状態を示す、図８のＦ部拡大斜視図である。
【図１０】図１の補強脚の変形例を示す側面図である。
【図１１】図１の補強脚の更に別の変形例を示す正面図である。
【図１２】図１と別の実施形態の補強脚の斜視図である。
【図１３】図１と更に別の実施形態の補強脚の斜視図である。
【図１４】従来の壁際処理における床パネルを示す斜視図である。
【図１５】図１４の床パネルの切断端部における天板に荷重が加わった状態を示す断面図である。
【符号の説明】
【００６６】
１  床装置
２  補強脚
３  取付部
４  角柱取付部
５  端側円柱取付部
６  中央側円柱取付部
２１  床パネル
２２  床パネル本体
２５、２５ｂ  角柱支持脚
２６、２６ａ、２６ｂ、２６ｃ  円柱支持脚
３１  天板
５３  ケーブル
【図１】
0004707494.tif 000002
【図２】
0004707494.tif 000003
【図３】
0004707494.tif 000004
【図４】
0004707494.tif 000005
【図５】
0004707494.tif 000006
【図６】
0004707494.tif 000007
【図７】
0004707494.tif 000008
【図８】
0004707494.tif 000009
【図９】
0004707494.tif 000010
【図１０】
0004707494.tif 000011
【図１１】
0004707494.tif 000012
【図１２】
0004707494.tif 000013
【図１３】
0004707494.tif 000014
【図１４】
0004707494.tif 000015
【図１５】
0004707494.tif 000016